(57)【要約】 【課題】再送信子局及び子局におけるバッテリの使用を効果的に抑制することが可能な市町村デジタル同報通信システムを提供する。【解決手段】市町村デジタル同報通信システムは、親局、再送信子局及び子局を具備する。親局は、所定のスロットでＣＣＨを送信する。再送信子局は、転送処理部、第１及び第２の遷移部を備える。転送処理部は、ＣＣＨを子局へ転送する。第１の遷移部は、所定の期間においてＣＣＨのみを受信する場合、ＣＣＨの転送を停止し、バッテリセービング状態へ遷移する。第２の遷移部は、子局から開始信号を受信した場合、バッテリセービング状態を解除し、ＣＣＨの転送を再開する。子局は、第３の遷移部及び開始処理部を備える。第３の遷移部は、所定の期間においてＣＣＨのみを受信する場合、バッテリセービング状態へ遷移する。開始処理部は、バッテリセービング状態を解除し、開始信号を複数のスロットで再送信子局へ送信する。【選択図】図６
2014138200.tif 000002
【特許請求の範囲】
【請求項１】
親局、再送信子局及び子局を具備する市町村デジタル同報通信システムにおいて、
前記親局は、予め設定されるスロットを使用してＣＣＨ（Control Chanel）を送信し、
前記再送信子局は、
前記ＣＣＨを前記子局へ転送する転送処理部と、
予め設定される期間において前記ＣＣＨのみを受信する場合、前記ＣＣＨの前記子局への転送を停止し、バッテリセービング状態へ遷移する第１の遷移部と、
前記子局から複数のスロットを使用して送信される開始信号を受信した場合、前記バッテリセービング状態を解除し、前記ＣＣＨの前記子局への転送を再開する第２の遷移部と
を備え、
前記子局は、
予め設定される期間において前記再送信子局から前記ＣＣＨのみが送信される場合、前記バッテリセービング状態へ遷移する第３の遷移部と、
前記バッテリセービング状態を解除すると共に、前記開始信号を複数のスロットを使用して前記再送信子局へ送信する開始処理部と
を備える市町村デジタル同報通信システム。
【請求項２】
前記開始処理部は、使用可能な全スロットを使用して前記開始信号を送信し、
前記第２の遷移部は、前記子局から、全スロットを使用して送信される開始信号を受信した場合、前記バッテリセービング状態を解除し、前記ＣＣＨの前記子局への転送を再開する請求項１記載の市町村デジタル同報通信システム。
【請求項３】
予め設定されるスロットを使用してＣＣＨを送信する親局、再送信子局及び子局を備える市町村デジタル同報通信システムで用いられる再送信子局において、
親局用装置と、子局用装置とを具備し、
前記親局用装置は、
前記ＣＣＨを前記子局用装置へ転送する第１の転送処理部と、
予め設定される期間において前記ＣＣＨのみを受信する場合、前記ＣＣＨの前記子局用装置への転送を停止し、バッテリセービング状態へ遷移する第１の遷移部と、
前記子局用装置から再開信号を受信した場合、前記バッテリセービング状態を解除し、前記ＣＣＨの前記子局用装置への転送を再開する第２の遷移部と
を備え、
前記子局用装置は、
前記親局用装置から転送される前記ＣＣＨを前記子局へ転送する第２の転送処理部と、
予め設定される期間において前記親局用装置からＣＣＨが転送されない場合、前記ＣＣＨの前記子局への転送を停止し、バッテリセービング状態へ遷移する第３の遷移部と、
前記子局から複数のスロットを使用して送信される開始信号を受信した場合、前記バッテリセービング状態を解除し、前記再開信号を前記親局用装置へ送信する第４の遷移部と
を備える再送信子局。
【請求項４】
前記第４の遷移部は、前記子局から、全スロットを使用して送信される開始信号を受信した場合、前記バッテリセービング状態を解除し、前記親局用装置へ前記再開信号を送信する請求項３記載の再送信子局。
【請求項５】
予め設定されるスロットを使用してＣＣＨを送信する親局、前記ＣＣＨを再送信する再送信子局、及び、子局を備える市町村デジタル同報通信システムで用いられる子局において、
予め設定される期間において前記再送信子局から前記ＣＣＨのみが送信される場合、バッテリセービング状態へ遷移する遷移部と、
前記バッテリセービング状態を解除すると共に、複数のスロットを使用して開始信号を前記再送信子局へ送信する開始処理部と
を具備する子局。
【請求項６】
前記開始処理部は、使用可能な全スロットを使用して前記開始信号を送信する請求項５記載の子局。
【請求項７】
予め設定されるスロットを使用してＣＣＨを送信する親局、再送信子局及び子局を備える市町村デジタル同報通信システムにおける前記再送信子局に備えられる親局用装置及び子局用装置の第１及び第２のコンピュータで使用される市町村デジタル同報通信プログラムおいて、
前記ＣＣＨを、前記子局用装置へ転送する第１の転送処理と、
予め設定される期間において前記ＣＣＨのみを受信する場合、前記ＣＣＨの前記子局用装置への転送を停止し、バッテリセービング状態へ遷移する第１の遷移処理と、
前記子局用装置から再開信号を受信した場合、前記バッテリセービング状態を解除し、前記ＣＣＨの前記子局用装置への転送を再開する第２の遷移処理と
を前記第１のコンピュータに実行させ、
前記親局用装置から転送される前記ＣＣＨを前記子局へ転送する第２の転送処理と、
予め設定される期間において前記親局用装置からＣＣＨが転送されない場合、前記ＣＣＨの前記子局への転送を停止し、バッテリセービング状態へ遷移する第３の遷移処理と、
前記子局から複数のスロットを使用して送信される開始信号を受信した場合、前記バッテリセービング状態を解除し、前記再開信号を前記親局用装置へ送信する第４の遷移処理と
を前記第２のコンピュータに実行させる市町村デジタル同報通信プログラム。
【請求項８】
予め設定されるスロットを使用してＣＣＨを送信する親局、前記ＣＣＨを再送信する再送信子局、及び、子局を備える市町村デジタル同報通信システムで用いられる子局のコンピュータで使用される市町村デジタル同報通信プログラムにおいて、
予め設定される期間において前記再送信子局から前記ＣＣＨのみが送信される場合、バッテリセービング状態へ遷移する遷移処理と、
前記バッテリセービング状態を解除すると共に、複数のスロットを使用して開始信号を前記再送信子局へ送信する開始処理と
を前記コンピュータに実行させる市町村デジタル同報通信プログラム。
【発明の詳細な説明】
【技術分野】
【０００１】
本発明の実施形態は、親局と子局との間で信号の送受信を行う市町村デジタル同報通信システムと、このシステムで用いられる再送信子局及び子局と、再送信子局及び子局で用いられる市町村デジタル同報通信プログラムとに関する。
【背景技術】
【０００２】
市町村デジタル同報通信システムは、例えば、災害発生時又は緊急時等の際に、地域住民の避難、誘導又は安全の確保のための情報伝達に使用される。市町村デジタル同報通信システムは、例えば、情報を配信する親局、親局から配信される情報を配下の子局へ転送する再送信子局、及び子局を具備する。
【０００３】
再送信子局及び子局は、主に屋外に設置されるため、バッテリの使用を抑えることが望まれている。再送信子局及び子局でのバッテリの使用を抑えるため、市町村デジタル同報通信システムは、例えば、親局間欠送信モードを適用することが可能である。市町村デジタル同報通信システムが親局間欠送信モードを適用する場合、再送信子局は、親局からスロット＃０で常送されるＣＣＨ（Control Chanel）を、配下の子局へ転送する。子局は、予め設定された期間、スロット＃０により送信されるデータのみを受信する場合、バッテリセービング状態へ遷移することで、バッテリの使用を抑える。一方、再送信子局は、親局から送信される情報データを配下の子局へ転送する必要があるため、スロット＃０により送信されるデータのみを受信したとしても、バッテリセービング状態へ遷移することはできない。
【０００４】
また、再送信子局及び子局でのバッテリの使用を抑えるため、市町村デジタル同報通信システムは、親局通話時送信モードを適用することも可能である。市町村デジタル同報通信システムが親局通話時送信モードを適用する場合、再送信子局は、予め設定された期間、スロット＃０により送信されるデータのみを受信すると、バッテリセービング状態へ遷移する。このとき、再送信子局は、無通信状態であると判断し、配下の子局に対しての中継動作を停止する。
【０００５】
しかしながら、親局通話時送信モードでは、子局から上り方向のデータが送信される場合、再送信子局は子局からのデータを親局へ転送する必要がある。子局から送信される上り方向のデータは、１スロット送信で開始される場合もある。その場合、１スロット送信がされた場合の信号強度は低いため、再送信子局は、無通信状態であっても、受信レベルの検出感度を高く維持する必要がある。しかしながら、検出感度を高くすると、雑音との区別をするのが難しいため、バッテリセービング状態と通常状態との遷移を繰り返してしまい、バッテリセービング機能が生かせないという問題がある。
【先行技術文献】
【特許文献】
【０００６】
【特許文献１】特開２００２−１５８６０９号公報
【発明の概要】
【発明が解決しようとする課題】
【０００７】
以上のように、従来の市町村デジタル同報通信システムでは、親局間欠送信モード及び親局通話時送信モードのいずれを適用した場合であっても、再送信子局及び子局におけるバッテリの使用を効果的に抑制することが困難であった。
【０００８】
そこで、目的は、再送信子局及び子局におけるバッテリの使用を効果的に抑制することが可能な市町村デジタル同報通信システムと、このシステムで用いられる再送信子局及び子局と、再送信子局及び子局で用いられる市町村デジタル同報通信プログラムとを提供することにある。
【課題を解決するための手段】
【０００９】
実施形態によれば、市町村デジタル同報通信システムは、親局、再送信子局及び子局を具備する。前記親局は、予め設定されるスロットを使用してＣＣＨを送信する。前記再送信子局は、転送処理部、第１の遷移部及び第２の遷移部を備える。転送処理部は、前記ＣＣＨを前記子局へ転送する。第１の遷移部は、予め設定される期間において前記ＣＣＨのみを受信する場合、前記ＣＣＨの前記子局への転送を停止し、バッテリセービング状態へ遷移する。第２の遷移部は、前記子局から複数のスロットを使用して送信される開始信号を受信した場合、前記バッテリセービング状態を解除し、前記ＣＣＨの前記子局への転送を再開する。前記子局は、第３の遷移部及び開始処理部を備える。第３の遷移部は、予め設定される期間において前記再送信子局から前記ＣＣＨのみが送信される場合、前記バッテリセービング状態へ遷移する。開始処理部は、前記バッテリセービング状態を解除すると共に、前記開始信号を複数のスロットを使用して前記再送信子局へ送信する。
【図面の簡単な説明】
【００１０】
【図１】本実施形態に係る市町村デジタル同報通信システムの構成を示す図である。
【図２】図１に示す市町村デジタル同報通信システムの機能構成を示すブロック図である。
【図３】図２に示す親局用装置の制御部及び子局用装置の制御部の機能構成を示すブロック図である。
【図４】図２に示す子局の制御部の機能構成を示すブロック図である。
【図５】図２に示す再送信子局及び子局が通常状態からバッテリセービング状態へ遷移する際のシーケンス図を示す。
【図６】図２に示す再送信子局及び子局がバッテリセービング状態から通常状態へ遷移する際のシーケンス図を示す。
【発明を実施するための形態】
【００１１】
以下、実施の形態について、図面を参照して説明する。
【００１２】
図１は、本実施形態に係る市町村デジタル同報通信システム１０の構成を示す模式図である。図１に示す市町村デジタル同報通信システム１０は、親局１１、再送信子局１２、及び子局１３−１，１３−２を具備する。なお、図１に示す市町村デジタル同報通信システム１０の構成は、これに限定されない。例えば、市町村デジタル同報通信システム１０は、親局１１と再送信子局１２との間に、中継局を備えていても構わない。
【００１３】
図２は、図１に示す市町村デジタル同報通信システム１０の機能構成を示すブロック図である。
【００１４】
親局１１は、アンテナ１１１、変調部１１２、送信処理部１１３、受信処理部１１４、復調部１１５及び制御部１１６を備える。
【００１５】
制御部１１６は、例えば、ＣＰＵ（Central Processing Unit）から成り、親局１１の送受信動作を制御する。例えば、制御部１１６は、子局１３へ送信するデータを決定し、決定したデータを送信するスロットを決定する。具体的には、制御部１１６は、複数のスロットを用いて所定の情報データを送信することを決定する。また、制御部１１６は、親局間欠送信モードにおいては、スロット＃０を用いてＣＣＨ（Control Chanel）を送信することを決定する。制御部１１６は、決定したデータを変調部１１２へ出力し、出力したデータを、決定したスロットで送信するように、変調部１１２及び送信処理部１１３を制御する。
【００１６】
変調部１１２は、制御部１１６から供給されるデータを変調し、変調後のデータを送信処理部１１３へ出力する。送信処理部１１３は、変調されたデータに対して周波数変換処理及び増幅処理等を施して送信信号とし、送信信号をアンテナ１１１から送信する。
【００１７】
受信処理部１１４は、アンテナ１１１により、再送信子局１２から送信されてくる信号を受信信号として受信する。受信処理部１１４は、受信信号に対して増幅処理及び周波数変換処理を施し、受信処理後の受信信号を復調部１１５へ出力する。復調部１１５は、受信処理後の受信信号を復調して受信データとし、受信データを制御部１１６へ出力する。
【００１８】
図２に示す再送信子局１２は、親局用装置１２１及び子局用装置１２２を備える。親局用装置１２１は、アンテナ１２１１、受信処理部１２１２、復調部１２１３、変調部１２１４、送信処理部１２１５及び制御部１２１６を備える。
【００１９】
受信処理部１２１２は、アンテナ１２１１により、親局１１から送信されてくる信号を受信信号として受信する。受信処理部１２１２は、受信信号に対して増幅処理及び周波数変換処理を施し、受信処理後の受信信号を復調部１２１３へ出力する。復調部１２１３は、受信処理後の受信信号を復調して受信データとし、受信データを制御部１２１６へ出力する。
【００２０】
変調部１２１４は、制御部１２１６からの指示に従い、制御部１２１６から供給されるデータを変調し、変調後のデータを送信処理部１２１５へ出力する。送信処理部１２１５は、変調されたデータに対して周波数変換処理及び増幅処理等を施して送信信号とし、送信信号をアンテナ１２１１から送信する。
【００２１】
制御部１２１６は、例えば、ＣＰＵ、並びに、ＲＯＭ（Read Only Memory）及びＲＡＭ（Random Access Memory）等のＣＰＵが処理を実行するためのプログラムやデータの格納領域等を含む。制御部１２１６は、ＣＰＵにプログラムを実行させることで、所定の機能を実現させる。すなわち、制御部１２１６は、図３に示す転送処理部１２１６１、セービング状態遷移部１２１６２及び通常状態遷移部１２１６３を備える。
【００２２】
転送処理部１２１６１は、アンテナ１２１１、受信処理部１２１２及び復調部１２１３を介して供給されるデータを、子局用装置１２２へ出力する。また、転送処理部１２１６１は、子局用装置１２２から供給されるデータを、変調部１２１４へ供給する。
【００２３】
セービング状態遷移部１２１６２は、転送処理部１２１６１が子局用装置１２２とデータをやり取りする通常状態において、キャリア検出を実施する。セービング状態遷移部１２１６２は、検出結果に基づき、親局１１から実質的な通信があるか否かを判断する。例えば、セービング状態遷移部１２１６２は、親局１１から送信される送信信号の受信強度が予め設定される第１の強度を、予め設定される期間下回る場合、親局１１から実質的な通信がないと判断する。ここで、第１の強度は、例えば、スロット＃０により送信される送信信号のみの受信強度と、２つのスロットにより送信される送信信号の受信強度との間の強度に設定される。セービング状態遷移部１２１６２は、実質的な通信がないと判断すると、親局用装置１２１の状態を、通常状態から、転送処理部１２１６１と子局用装置１２２とのデータのやり取りを停止して親局１１からの信号を待ち受けるバッテリセービング状態へ遷移させる。
【００２４】
通常状態遷移部１２１６３は、バッテリセービング状態において、子局用装置１２２から再開信号が供給されると、親局用装置１２１の状態を、バッテリセービング状態から、通常状態へ遷移させる。
【００２５】
また、通常状態遷移部１２１６３は、バッテリセービング状態において、親局１１から送信される信号の受信強度が予め設定される第２の強度を超える場合、親局用装置１２１の状態を、バッテリセービング状態から通常状態へ遷移させる。ここで、第２の強度は、例えば、複数のスロットを用いて送信される送信信号を検出可能な強度に設定される。なお、送信信号の検出は、複数のスロットを用いて送信された場合、１つのスロットを用いて送信された場合に比べて、検出がしやすくなる。これは、送信信号を検出する際、その検出方法として、１フレーム期間の信号強度を検出するようにしていることによる。通常状態遷移部１２１６３は、親局用装置１２１を通常状態へ遷移させると、再開信号を子局用装置１２２へ出力する。
【００２６】
子局用装置１２２は、アンテナ１２２１、変調部１２２２、送信処理部１２２３、受信処理部１２２４、復調部１２２５及び制御部１２２６を備える。
【００２７】
変調部１２２２は、制御部１２２６からの指示に従い、制御部１２２６から供給されるデータを変調し、変調後のデータを送信処理部１２２３へ出力する。送信処理部１２２３は、変調されたデータに対して周波数変換処理及び増幅処理等を施して送信信号とし、送信信号をアンテナ１２２１から送信する。
【００２８】
受信処理部１２２４は、アンテナ１２２１により、子局１３から送信されてくる信号を受信信号として受信する。受信処理部１２２４は、受信信号に対して増幅処理及び周波数変換処理を施し、受信処理後の受信信号を復調部１２２５へ出力する。復調部１２２５は、受信処理後の受信信号を復調して受信データとし、受信データを制御部１２２６へ出力する。
【００２９】
制御部１２２６は、例えば、ＣＰＵ、並びに、ＲＯＭ及びＲＡＭ等のＣＰＵが処理を実行するためのプログラムやデータの格納領域等を含む。制御部１２２６は、ＣＰＵにプログラムを実行させることで、所定の機能を実現させる。すなわち、制御部１２２６は、図３に示す転送処理部１２２６１、セービング状態遷移部１２２６２及び通常状態遷移部１２２６３を備える。
【００３０】
転送処理部１２２６１は、アンテナ１２２１、受信処理部１２２４及び復調部１２２５を介して供給されるデータを、親局用装置１２１へ出力する。また、転送処理部１２２６１は、親局用装置１２１から供給されるデータを、変調部１２２２、送信処理部１２２３及びアンテナ１２２１を介して送信する。
【００３１】
セービング状態遷移部１２２６２は、転送処理部１２２６１が親局用装置１２１とデータをやり取りする通常状態において、親局用装置１２１からデータが供給されるか否かに基づき、親局１１から実質的な通信があるか否かを判断する。例えば、セービング状態遷移部１２２６２は、予め設定される期間、親局用装置１２１からデータが供給されない場合、親局１１から実質的な通信がないと判断する。セービング状態遷移部１２２６２は、実質的な通信がないと判断すると、子局用装置１２２の状態を、通常状態から、転送処理部１２２６１と親局用装置１２１とのデータのやり取りを停止して子局１３からの信号を待ち受けるバッテリセービング状態へ遷移させる。
【００３２】
通常状態遷移部１２２６３は、バッテリセービング状態において、子局１３から送信される信号の受信強度が予め設定される第３の強度を超える場合、子局用装置１２２の状態を、バッテリセービング状態から通常状態へ遷移させる。ここで、第３の強度は、例えば、全てのスロットを用いて送信される送信信号を検出可能な強度に設定される。通常状態遷移部１２２６３は、子局用装置１２２を通常状態へ遷移させると、再開信号を親局用装置１２１へ出力する。
【００３３】
また、通常状態遷移部１２２６３は、バッテリセービング状態において、親局用装置１２１から再開信号が供給されると、子局用装置１２２の状態を、バッテリセービング状態から、通常状態へ遷移させる。
【００３４】
図２に示す子局１３は、アンテナ１３１、受信処理部１３２、復調部１３３、変調部１３４、送信処理部１３５、出力部１３６及び制御部１３７を備える。
【００３５】
受信処理部１３２は、アンテナ１３１により、再送信子局１２から送信されてくる信号を受信信号として受信する。受信処理部１３２は、受信信号に対して増幅処理及び周波数変換処理を施し、受信処理後の受信信号を復調部１３３へ出力する。復調部１３３は、受信処理後の受信信号を復調して受信データとし、受信データを制御部１３７へ出力する。
【００３６】
変調部１３４は、制御部１３７からの指示に従い、制御部１３７から供給されるデータを変調し、変調後のデータを送信処理部１３５へ出力する。送信処理部１３５は、変調されたデータに対して周波数変換処理及び増幅処理等を施して送信信号とし、送信信号をアンテナ１３１から送信する。
【００３７】
出力部１３６は、文字表示器、ＦＡＸ及び屋外拡声器等であり、制御部１３７から供給されるデータを市町村の住民が認識可能なように出力する。
【００３８】
制御部１３７は、例えば、ＣＰＵ、並びに、ＲＯＭ及びＲＡＭ等のＣＰＵが処理を実行するためのプログラムやデータの格納領域等を含む。制御部１３７は、ＣＰＵにプログラムを実行させることで、所定の機能を実現させる。すなわち、制御部１３７は、図４に示す変換処理部１３７１、セービング状態遷移部１３７２及び開始処理部１３７３を備える。
【００３９】
変換処理部１３７１は、アンテナ１３１、受信処理部１３２及び復調部１３３を介して供給されるデータを、出力部１３６で使用可能な形式のデータに変換する。変換処理部１３７１は、変換後のデータを出力部１３６へ出力する。
【００４０】
セービング状態遷移部１３７２は、転送処理部１２１６１が子局用装置１２２とデータのやり取りを行う通常状態において、キャリア検出を実施する。セービング状態遷移部１３７２は、検出結果に基づき、親局１１から実質的な通信があるか否かを判断する。例えば、セービング状態遷移部１３７２は、再送信子局１２から送信される送信信号の受信強度が予め設定される第１の強度を、予め設定される期間下回る場合、親局１１から実質的な通信がないと判断する。セービング状態遷移部１３７２は、実質的な通信がないと判断すると、子局１３の状態を、通常状態から、再送信子局１２とのデータのやり取りを停止させるバッテリセービング状態へ遷移させる。
【００４１】
開始処理部１３７３は、子局１３のユーザから上りサービスの起動要求を受けると、全スロットを使用して、予め設定した時間のシンクバーストを開始信号として送信する。
【００４２】
次に、以上のように構成された市町村デジタル同報通信システム１０における再送信子局１２と、子局１３との状態遷移動作を説明する。以下では、スロット＃０からスロット＃５の６スロットを使用してデータを送信する場合を例に説明する。図５は、再送信子局１２及び子局１３が通常状態からバッテリセービング状態へ遷移する際のシーケンス図を示す。
【００４３】
親局１１は、親局間欠送信モードにおいて、スロット＃０によりＣＣＨを常送する（シーケンスＳ５１）。
【００４４】
再送信子局１２の親局用装置１２１は、親局１１から送信されるＣＣＨを受信すると、受信したＣＣＨを子局用装置１２２へ出力する（シーケンスＳ５２）。子局用装置１２２は、親局用装置１２１から出力されるＣＣＨを受信すると、受信したＣＣＨを子局１３へ送信する（シーケンスＳ５３）。
【００４５】
親局用装置１２１は、予め設定する期間、受信強度が第１の強度を下回る場合、すなわち、予め設定する期間、親局１１から単一のスロットを用いて送信される信号のみを受信する場合、子局用装置１２２へのデータの転送を停止し、バッテリセービング状態へ遷移する（シーケンスＳ５４）。
【００４６】
子局用装置１２２は、予め設定する期間、親局用装置１２１からデータが転送されない場合、子局１３へのデータの送信を停止し、バッテリセービング状態へ遷移する（シーケンスＳ５５）。
【００４７】
子局１３は、予め設定する期間、受信強度が第１の強度を下回る場合、すなわち、予め設定する期間、再送信子局１２から単一のスロットを用いて送信される信号のみを受信する場合、再送信子局１２とのデータ通信を停止し、バッテリセービング状態へ遷移する（シーケンスＳ５６）。
【００４８】
図６は、再送信子局１２及び子局１３がバッテリセービング状態から通常状態へ遷移する際のシーケンス図を示す。
【００４９】
子局１３は、ユーザから上りサービスの起動要求を受けると、全スロットである６スロットを使用したシンクバーストを所定時間送信する（シーケンスＳ６１）。
【００５０】
再送信子局１２の子局用装置１２２は、第３の強度を超える受信強度の信号、すなわち、６スロットを使用したシンクバーストを受信すると、バッテリセービング状態から通常状態へ遷移し、親局用装置１２１へ再開信号を出力する（シーケンスＳ６２）。
【００５１】
親局用装置１２１は、子局用装置１２２から出力される再開信号を受け取ると、バッテリセービング状態から通常状態へ遷移する。親局用装置１２１は、通常状態への遷移後に、親局１１から常送されるＣＣＨを受信すると、子局用装置１２２へＣＣＨを転送する（シーケンスＳ６３）。子局用装置１２２は、親局用装置１２１から転送されるＣＣＨを受け取ると、受け取ったＣＣＨを子局１３へ送信する（シーケンスＳ６４）。
【００５２】
子局１３は、子局発呼の連絡通話を開始する際には、スロット＃３を使用してシンクバーストを送信する（シーケンスＳ６５）。シンクバーストは、再送信子局１２を介して親局１１へ送信される（シーケンスＳ６６，Ｓ６７）。
【００５３】
親局１１は、シンクバーストを検出すると、呼制御の手順を順次実施する。
【００５４】
以上のように、本実施形態では、再送信子局１２は、受信強度が第１の強度よりも低い状態が所定時間継続した場合、親局用装置１２１をバッテリセービング状態に遷移させる。また、再送信子局１２は、親局用装置１２１から子局用装置１２２へデータが転送されない状態が所定時間継続した場合、子局用装置１２２をバッテリセービング状態に遷移させる。また、子局１３は、受信強度が第１の強度よりも低い状態が所定時間継続した場合、バッテリセービング状態に遷移する。そして、再送信子局１２は、子局１３から送信される送信強度の大きなシンクバーストを受信すると、子局用装置１２２と親局用装置１２１とをバッテリセービング状態から通常状態へ遷移させるようにしている。これにより、親局間欠送信モードを適用している市町村デジタル同報通信システム１０で用いられる再送信子局１２に通話時送信モードを適用させることが可能となる。
【００５５】
したがって、本実施形態に係る市町村デジタル同報通信システム１０によれば、再送信子局１２及び子局１３におけるバッテリの使用を効果的に抑制することができる。
【００５６】
なお、上記実施形態では、子局１３は、ユーザから上りサービスの起動要求を受けると、全スロットを使用したシンクバースト送信する場合を例に説明した。しかしながら、これに限定されない。例えば、このときに送信するシンクバーストは、２以上の複数のスロットを使用するものであれば、全てのスロットでなくても構わない。このとき、通常状態遷移部１２２６３で設定される第３の強度は、子局１３で設定される数のスロットを用いて送信される送信信号を検出可能な強度となる。
【００５７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５８】
１０…市町村デジタル同報通信システム、１１…親局、１２…再送信子局、１３，１３−１，１３−２…子局、１１１…アンテナ、１１２…変調部、１１３…送信処理部、１１４…受信処理部、１１５…復調部、１１６…制御部、１２１…親局用装置、１２２…子局用装置、１３１…アンテナ、１３２…受信処理部、１３３…復調部、１３４…変調部、１３５…送信処理部、１３６…出力部、１３７…制御部、１２１１…アンテナ、１２１２…受信処理部、１２１３…復調部、１２１４…変調部、１２１５…送信処理部、１２１６…制御部、１２１６１…転送処理部、１２１６２…セービング状態遷移部、１２１６３…通常状態遷移部、１２２１…アンテナ、１２２２…変調部、１２２３…送信処理部、１２２４…受信処理部、１２２５…復調部、１２２６…制御部、１２２６１…転送処理部、１２２６２…セービング状態遷移部、１２２６３…通常状態遷移部、１３７１…変換処理部、１３７２…セービング状態遷移部、１３７３…通常状態遷移部、１３７３…開始処理部
【図１】
2014138200.tif 000003
【図２】
2014138200.tif 000004
【図３】
2014138200.tif 000005
【図４】
2014138200.tif 000006
【図５】
2014138200.tif 000007
【図６】
2014138200.tif 000008